(57)【特許請求の範囲】
【請求項１】
液体を収容する容器と、前記容器内の液体を容器外へ吐出させる電動ポンプと、前記電動ポンプに印加電圧を供給して駆動する電源と、使用者が出湯を指示操作する出湯スイッチと、前記印加電圧を制御する制御手段と、出湯経路とを備え、前記制御手段は、保温が所定時間以上経過後の出湯時には、通常出湯電圧以上の印加電圧を前記電動ポンプに供給するように前記電源を制御する電気湯沸かし器。
【発明の詳細な説明】
【０００１】
【発明の属する技術分野】
本発明は、容器内に収容した液体を加熱保温し、器体外へ導出する電気湯沸かし器に関する。
【０００２】
【従来の技術】
以下、従来の電気湯沸かし器について図面を参照しながら説明する。従来、この種の電気湯沸かし器において、容器内の液体を器体外へ導出する電動ポンプへの出力電圧は、図９に示したように、一定とし、出湯経路を通して一定の吐出量を得ようとするものであった。
【０００３】
【発明が解決しようとする課題】
しかしながら、上記従来の構成では、電動ポンプに一定の印加電圧を与えるものであるため、保温中に気泡が発生しポンプ内で泡をかみ、出湯開始時の吐出量が通常時の吐出量よりも減少するという問題があった。
【０００４】
本発明は上記課題を解決するもので、長時間保温されていても通常時の吐出量を確保でき、安定した出湯性能を備えた電気湯沸かし器を提供することを目的とする。
【０００５】
【課題を解決するための手段】
請求項１に係わる本発明は、液体を収容する容器と、前記容器内の液体を容器外へ吐出させる電動ポンプと、前記電動ポンプに印加電圧を供給して駆動する電源と、使用者が出湯を指示操作する出湯スイッチと、前記印加電圧を制御する制御手段と、出湯経路とを備え、前記制御手段は、保温が所定時間以上経過後の出湯時には、通常出湯電圧以上の印加電圧を前記電動ポンプに供給するように前記電源を制御する電気湯沸かし器である。
【０００６】
本発明において、制御手段は、保温が所定時間以上経過後の出湯時には、通常出湯電圧以上の印加電圧を電動ポンプに供給するように電源を制御する。したがって、保温中に溜った気泡をかき出すことができ、長時間保温されていても、通常の吐出量より減少することなく、安定した出湯性能が得られる。
【０００７】
以下、本発明の実施例について説明する。
【０００８】
【実施例】
（参考例１）
以下、本発明の電気湯沸かし器の参考例１について図面を参照しながら説明する。図１は本参考例の構成を示す縦断面図、図２はその構成を示すブロック図である。図１および図２において、容器１に収容されている液体２は、電動ポンプ３により出湯経路４を通過して容器１外へ吐出される。電動ポンプ３は、出湯スイッチ５により制御手段６で制御された電源７により駆動する。このとき、電源７の電圧により、吐出量が決定される。
【０００９】
図３は、本参考例の動作を示す特性図であり、（ａ）は液体２の温度を、また（ｂ）は電源７から電動ポンプ３に印加される電圧を、それぞれ時間に対応して示す。湯沸かし沸騰直後から所定時間ｈ１（本参考例では１．５時間）の間に出湯スイッチ５を操作すると、制御手段６により電源７を制御し、通常出湯電圧Ｖ１（本参考例では６．８Ｖ）以上の電圧Ｖ２（本参考例では７．６Ｖ）を印加して電動ポンプ３を駆動し、出湯させる。
【００１０】
これにより、湯沸かし沸騰直後に起こる電動ポンプ３の泡がみによる吐出量の低下を抑制し、出湯性能を向上させることができる。
【００１１】
なお、上記電圧値は一例であり、これらの値に限定されるものではない。
【００１２】
（参考例２）
以下、本発明の電気湯沸かし器の参考例２について図面を参照しながら説明する。
【００１３】
図４は本参考例の動作を示す特性図である。なお、本参考例の主要構成については図１および図２に示した構成と同じであるため説明を省略する。
【００１４】
図４に示したように、湯沸かし開始からの所定時間（Ｈ３−Ｈ２）（本参考例では湯沸かし開始後、１５分から１時間３０分）の間に出湯スイッチ５を操作すると、制御手段６により電源７を制御し、通常出湯電圧Ｖ１（本参考例では６．８Ｖ）以上の電圧Ｖ２（本参考例では７．６Ｖ）を印加して電動ポンプ３を駆動し、出湯させる。
【００１５】
これにより、湯沸かし中における高温時の気泡が発生し易い時間帯でも、吐出量の低下を抑制し、出湯性能を向上させることができる。
【００１６】
（参考例３）
以下、本発明の電気湯沸かし器の参考例３について図面を参照しながら説明する。図５は本参考例の動作を示す特性図である。なお、本参考例の主要構成については図１および図２に示した構成と同じであるため説明を省略する。
【００１７】
図５に示したように、湯沸かし開始後、湯温が所定温度Ｔ１（本参考例では９８℃）から所定時間ｈ４（本参考例では１．５時間）の間に出湯スイッチ５を操作すると、制御手段６により電源７を制御し、通常出湯電圧Ｖ１（本参考例では６．８Ｖ）以上の電圧Ｖ２（本参考例では７．６Ｖ）を印加して電動ポンプ３を駆動し、出湯させる。
【００１８】
これにより、湯沸かし中における高温時の気泡が発生し易い時間帯でも、泡がみによる吐出量の低下を抑制し、出湯性能を向上させることができる。
【００１９】
（参考例４）
以下、本発明の電気湯沸かし器の参考例４について図面を参照しながら説明する。図６は本参考例の動作を示す特性図である。なお、本参考例の主要構成については図１および図２に示した構成と同じであるため説明を省略する。
【００２０】
図６に示したように、湯温が所定温度Ｔ２（本参考例では９８℃）以上の出湯時に出湯スイッチ５を操作すると、制御手段６により電源７を制御し、通常出湯電圧Ｖ１（本参考例では６．８Ｖ）以上の電圧Ｖ２（本参考例では７．６Ｖ）を印加して電動ポンプ３を駆動し、出湯させる。
【００２１】
これにより、湯沸かし中における高温時の気泡が発生しやすい時間帯でも、泡がみによる吐出量の低下を抑制し、出湯性能を向上させることができる。
【００２２】
（実施例１）
以下、本発明の電気湯沸かし器の実施例１について図面を参照しながら説明する。図７は本実施例の動作を示す特性図である。なお、本実施例の主要構成については図１および図２に示した構成と同じであるため説明を省略する。
【００２３】
図７に示したように、保温が所定時間ｈ５以上（本実施例では３時間）経過後の出湯時に出湯スイッチ５を操作すると、制御手段６により電源７を制御し、通常出湯電圧Ｖ１（本実施例では６．８Ｖ）以上の電圧Ｖ２（本実施例では７．６Ｖ）を印加して電動ポンプ３を駆動し、出湯させる。
【００２４】
これにより、保温中に気泡が発生しても、泡がみによる吐出量の低下を抑制し、出湯性能を向上させることができる。
【００２５】
（参考例５）
以下、本発明の電気湯沸かし器の参考例５について図面を参照しながら説明する。図８は本参考例の動作を示す特性図である。なお、本参考例の主要構成については図１および図２に示した構成と同じであるため説明を省略する。
【００２６】
図８に示したように、液体２が容器１外へ吐出する前に、通常出湯電圧Ｖ１（本参考例では６．８Ｖ）以上の電圧Ｖ２（本参考例では７．６Ｖ）を印加して電動ポンプ３を駆動し、出湯させる。
【００２７】
これにより、湯沸かし・沸騰・保温中のいずれの場合でも、吐出量の低下を抑制し、出湯性能を向上させることができる。
【００２８】
【発明の効果】
以上の説明から明らかなように、本発明によれば、保温中に溜まった気泡をかき出すことができ、長時間保温されていても泡がみによる吐出量の低下を抑制し、出湯性能を向上させることができる。
【図面の簡単な説明】
【図１】  本発明の電気湯沸かし器の実施例１及び参考例１ないし参考例５の構成を示す縦断面図
【図２】  同実施例及び参考例の構成を示すブロック図
【図３】  本発明の電気湯沸かし器の参考例１の動作を示す特性図
【図４】  本発明の電気湯沸かし器の参考例２の動作を示す特性図
【図５】  本発明の電気湯沸かし器の参考例３の動作を示す特性図
【図６】  本発明の電気湯沸かし器の参考例４の動作を示す特性図
【図７】  本発明の電気湯沸かし器の実施例１の動作を示す特性図
【図８】  本発明の電気湯沸かし器の参考例５の動作を示す特性図
【図９】  従来例の電気湯沸かし器における電動ポンプへの印加電圧を示す特性図
【符号の説明】
１  容器
２  液体
３  電動ポンプ
４  出湯経路
５  出湯スイッチ
６  制御手段
７  電源
【図１】
0003666426.tif 000002
【図２】
0003666426.tif 000003
【図３】
0003666426.tif 000004
【図４】
0003666426.tif 000005
【図５】
0003666426.tif 000006
【図６】
0003666426.tif 000007
【図７】
0003666426.tif 000008
【図８】
0003666426.tif 000009
【図９】
0003666426.tif 000010